(57)【要約】      （修正有）【課題】ヒトの手の爪の施術台及び載置台に関し、特にネイリスト主導の施術を促進可能なヒトの手の爪の施術台及び載置台を提供する。【解決手段】施術台１００が、ヒトの前腕が少なくとも部分的に載置されるべき第１載置台１０と、ヒトの手が載置されるべき第２載置台５０を備える。第２載置台５０は、第１載置台１０に対して着脱可能であり、かつ第２載置台５０が第１載置台１０に対して取り付けられた状態で第１載置台１０に対して変位可能である。第１載置台１０に対する第２載置台５０の取付けが、第１及び第２載置台間の磁気的吸引に基づいて確保されることが好ましい。【選択図】図１
0003180758.tif 000002
【実用新案登録請求の範囲】
【請求項１】
ヒトの前腕が少なくとも部分的に載置されるべき第１載置台と、
前記ヒトの手が載置されるべき第２載置台と、を備え、
前記第２載置台は、前記第１載置台に対して着脱可能であり、かつ当該第２載置台が前記第１載置台に対して取り付けられた状態で前記第１載置台に対して変位可能である、ヒトの手の爪の施術台。
【請求項２】
前記第２載置台は、当該第２載置台が前記第１載置台に対して取り付けられた状態で前記第１載置台に対して回転可能である、請求項１に記載のヒトの手の爪の施術台。
【請求項３】
前記第１載置台に対する前記第２載置台の取付けが、前記第１及び第２載置台間の磁気的吸引に基づいて確保される、請求項２に記載のヒトの手の爪の施術台。
【請求項４】
前記第１載置台は、前記第２載置台が配置される配置面を有し、
前記第１載置台には、前記磁気的吸引を生じさせるための永久磁石及び磁性体の少なくとも一方が当該第１載置台の前記配置面に対応付けて設けられ、これにより、前記第１載置台の前記配置面上の任意の位置に前記第２載置台を配置可能である、請求項３に記載のヒトの手の爪の施術台。
【請求項５】
前記第１載置台は、前記第２載置台が配置される前記配置面の隣に設けられた少なくとも１つの台座部を備え、前記ヒトの爪上に塗布された光硬化性樹脂に対してエネルギー線を照射して前記光硬化性樹脂を硬化させるための光源装置が前記少なくとも１つの台座部上に載置可能である、請求項４に記載のヒトの手の爪の施術台。
【請求項６】
前記第２載置台は、当該第２載置台が前記第１載置台に対して取り付けられた状態において、前記第１載置台から離間する方向に先細りの形状を有する、請求項１乃至５のいずれか一項に記載のヒトの手の爪の施術台。
【請求項７】
前記第１載置台は、少なくとも部分的に前記ヒトの前記前腕を位置規制するための位置規制部を有する、請求項１乃至６のいずれか一項に記載のヒトの手の爪の施術台。
【請求項８】
ヒトの前腕が少なくとも部分的に載置されるべき第１載置台と共に用いられる第２載置台にして、前記ヒトの手が載置されるべき第２載置台であって、
前記第１載置台に対して着脱可能であり、かつ前記第１載置台に対して取り付けられた状態で前記第１載置台に対して変位可能である、第２載置台。
【請求項９】
前記第１載置台に対する当該第２載置台の取付けが、前記第１及び第２載置台間の磁気的吸引に基づいて確保され、
前記磁気的吸引を生じさせるための永久磁石及び磁性体の少なくとも一方が当該第２載置台に設けられる、請求項８に記載の第２載置台。
【請求項１０】
前記第１載置台に対して面接触するべき面を一端に有すると共に、当該一端から他端に向かって先細りに構成されている、請求項８又は９に記載の第２載置台。
【考案の詳細な説明】
【技術分野】
【０００１】
本考案は、ヒトの手の爪の施術台及び載置台に関し、特にネイリスト主導の施術を促進可能なヒトの手の爪の施術台及び載置台に関する。
【背景技術】
【０００２】
ネイルサロンにおいてネイリストによる施術により顧客の爪にネイル付等の装飾処理を行うことが一般化している。ネイルサロンでのネイリストの施術は、爪の表面処理、ジェルネイルの塗布、及びジェルネイルのＵＶ硬化等の時間的に連続した施術を含み、また、集中力を要する職人技の細かな作業を伴う。
【０００３】
特許文献１には、ジェルネイルの垂れ落ちを防止する装置が開示されている。同文献の図４等に示すように、装置１００には、開口部２が設けられ、支持領域３の周囲には壁部４が設けられている。壁部４によってジェルネイルが支持領域３から外に流れることが阻止され、ジェルネイルの形状を整えることへの注力が緩和される、と説明されている。
【０００４】
特許文献２には、ネイルアート用の作業台に関し、施術中に発生する粉塵又は施術中に用いられる有機溶剤を吸引してフィルターで除去することが開示されている。
【０００５】
特許文献３には、同文献の図１に示す通りのマニキュア台が開示されている。
【先行技術文献】
【特許文献】
【０００６】
【特許文献１】特開２０１１−１６７３１５号公報
【特許文献２】特開２０１０−１０４６１１号公報
【特許文献３】特開２００１−２２４４２５号公報
【考案の概要】
【考案が解決しようとする課題】
【０００７】
ネイリストによる施術中においては、施術に適した手の姿勢をとるように及び／又はある箇所から別の箇所への手の移動を顧客に対して依頼する場合があるが、顧客の手の姿勢や移動をネイリスト側で管理することができないことが問題となる場合がある。例えば、ネイリストによる施術に不慣れな顧客が手の姿勢変更や手の移動をすると、塗布済みの未硬化のジェルネイルが垂れ落ち、又はそのジェルネイルが傷つき、或いはそのジェルネイルに埃が付着してしまうおそれがある。ネイリストによる施術中に顧客がうたた寝した場合、ネイリストによる施術を進めること自体が容易ではなくなり、制限時間内に施術を完了することが難しくなるおそれがある。
【０００８】
上述のように、本考案者は、顧客の手の挙動をネイリスト側で管理することができないことを新規な課題として見出した。
【課題を解決するための手段】
【０００９】
本考案に係るヒトの手の爪の施術台は、ヒトの前腕が少なくとも部分的に載置されるべき第１載置台と、前記ヒトの手が載置されるべき第２載置台と、を備え、前記第２載置台は、前記第１載置台に対して着脱可能であり、かつ当該第２載置台が前記第１載置台に対して取り付けられた状態で前記第１載置台に対して変位可能である。本構成によれば、顧客の手の挙動をネイリスト側で管理することが促進される。制限時間内での施術の履行完了にも資することが期待される。
【００１０】
前記第２載置台は、当該第２載置台が前記第１載置台に対して取り付けられた状態で前記第１載置台に対して回転可能である、と良い。
【００１１】
前記第１載置台に対する前記第２載置台の取付けが、前記第１及び第２載置台間の磁気的吸引に基づいて確保される、と良い。
【００１２】
前記第１載置台は、前記第２載置台が配置される配置面を有し、前記第１載置台には、前記磁気的吸引を生じさせるための永久磁石及び磁性体の少なくとも一方が当該第１載置台の前記配置面に対応付けて設けられ、これにより、前記第１載置台の前記配置面上の任意の位置に前記第２載置台を配置可能である、と良い。
【００１３】
前記第１載置台は、前記第２載置台が配置される前記配置面の隣に設けられた少なくとも１つの台座部を備え、前記ヒトの爪上に塗布された光硬化性樹脂に対してエネルギー線を照射して前記光硬化性樹脂を硬化させるための光源装置が前記少なくとも１つの台座部上に載置可能である、と良い。
【００１４】
前記第２載置台は、当該第２載置台が前記第１載置台に対して取り付けられた状態において、前記第１載置台から離間する方向に先細りの形状を有する、と良い。
【００１５】
前記第１載置台は、少なくとも部分的に前記ヒトの前記前腕を位置規制するための位置規制部を有する、と良い。
【００１６】
本考案に係る第２載置台は、ヒトの前腕が少なくとも部分的に載置されるべき第１載置台と共に用いられる第２載置台にして、前記ヒトの手が載置されるべき第２載置台であって、前記第１載置台に対して着脱可能であり、かつ前記第１載置台に対して取り付けられた状態で前記第１載置台に対して変位可能である。
【００１７】
前記第１載置台に対する当該第２載置台の取付けが、前記第１及び第２載置台間の磁気的吸引に基づいて確保され、前記磁気的吸引を生じさせるための永久磁石及び磁性体の少なくとも一方が当該第２載置台に設けられる、と良い。
【００１８】
前記第１載置台に対して面接触するべき面を一端に有すると共に、当該一端から他端に向かって先細りに構成されている、と良い。
【考案の効果】
【００１９】
本考案によれば、ネイリスト主導の施術を促進可能である。
【図面の簡単な説明】
【００２０】
【図１】本考案の第１実施形態に係る施術台の概略的な斜視図である。
【図２】本考案の第１実施形態に係る施術台の使用状態を示す使用状態図であり、第１載置台に対する第２載置台の着脱前後において施術台を上方から見た状態を模式的に示す。
【図３】本考案の第１実施形態に係る施術台を上方及び横から見た状態を模式的に示す模式図であり、施術台に対してＵＶライトを載置した状態を示す。
【図４】本考案の第１実施形態に係る施術台を横から見た模式図であり、第１載置台と第２載置台が両者間に生じる磁気的吸引力に応じて結合している状態を示す。
【図５】本考案の第１実施形態に係る施術台の概略的な前側側面図であり、第２載置台が第１載置台の配置面上において任意に位置変更及び回転可能であることを模式的に示す。
【図６】本考案の第１実施形態に係る第２載置台に組み込まれる永久磁石の構成を示す模式である。
【図７】本考案の第１実施形態に係る施術台を用いたネイリストによる施術の概略的なフローチャートである。
【図８】本考案の第１実施形態に係る施術台を用いたネイリストによる施術の概略的なフローチャートである。
【図９】本考案の第１実施形態に係る施術台の第１載置台の側面図である。
【図１０】本考案の第１実施形態に係る第１載置台に第２載置台が取り付けられた状態の施術台の側面図である。
【図１１】本考案の第２実施形態に係る施術台の第１載置台の前側側面図であり、シート状の永久磁石が貼り付けられた状態を模式的に示す。
【図１２】本考案の第２実施形態に係る施術台の第２載置台の側面図及び下面図であり、第２載置台の下面上に鉄板が貼り付けられた状態を模式的に示す。
【図１３】本考案の第３実施形態に係る施術台の側面模式図であり、第１載置台に複数の永久磁石が設けられることを模式的に示す。
【図１４】本考案の第４実施形態に係る施術台の側面模式図であり、第１載置台に対して第２載置台がリンク機構を介して連結可能であることを模式的に示す。
【図１５】本考案の第５実施形態に係る施術台の使用状態を示す使用状態図である。
【図１６】本考案の第６実施形態に係る施術台の概略的な斜視図である。
【図１７】本考案の第６実施形態に係る第１載置台の概略的な前側側面図及び上面図である。
【考案を実施するための形態】
【００２１】
以下、図面を参照しつつ、本考案の実施形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。参照図面は、考案説明を主目的とするものであり、適宜、簡略化されている。
【００２２】
＜第１実施形態＞
図１乃至図１０を参照して第１実施形態について説明する。図１は、施術台の概略的な斜視図である。図２は、施術台の使用状態を示す使用状態図であり、第１載置台に対する第２載置台の着脱前後において施術台を上方から見た状態を模式的に示す。図３は、施術台を上方及び横から見た状態を模式的に示す模式図であり、施術台に対してＵＶライトを載置した状態を示す。図４は、施術台を横から見た模式図であり、第１載置台と第２載置台が両者間に生じる磁気的吸引力に応じて結合している状態を示す。図５は、施術台の概略的な前側側面図であり、第２載置台が第１載置台の配置面上において任意に位置変更及び回転可能であることを模式的に示す。図６は、第２載置台に組み込まれる永久磁石の構成を示す模式である。図７及び図８は、施術台を用いたネイリストによる施術の概略的なフローチャートである。図９は、施術台の第１載置台の側面図である。図１０は、第１載置台に第２載置台が取り付けられた状態の施術台の側面図である。
【００２３】
図１に示す施術台１００はネイルサロンにおいて用いられ、施術台１００上には典型的には顧客の腕の前腕と手が載置される。ネイリストは、施術台１００上に顧客の前腕と手が固定された状態で施術する。図１に示す施術台１００は、ネイリストと顧客が対面する際に用いられるテーブル上に固定可能な程度の持ち運び可能なものであるが、必ずしもこの限りではない。施術台１００上には顧客の腕の前腕と手が載置されるため、その表面にクッション性を持たせたりすることが望ましい。施術中においては顧客の爪の研磨等に応じて粉塵が発生し、また既存のジェルネイルの除去等のために有機溶剤が用いられるため、施術台１００の表面を清掃容易、及び／又は有機溶剤に対して耐性を有する材料で構成することが望ましい。施術台１００の下面には滑り止めテープや滑り止めマット等の任意の滑り止め手段を設けることが良く、これにより、テーブル上において施術台１００を好適に位置固定することができる。施術台１００の横幅、奥行き幅、高さは汎用性を持たせるべく適当に設定されるが、顧客の体形差に応じて複数種のサイズを用意しても構わない。なお、滑り止め手段の図示は省略されている。
【００２４】
図１に示すように、施術台１００は、第１載置台１０、及び第２載置台５０を有する。第１載置台１０は、中央部１１の両横に一組の位置規制部１２、１３が設けられ、更に、位置規制部１２、１３の各前側面上に一組の台座部１５、１６が設けられた立体構造を有する。第１載置台１０の中央部１１は、ヒトの前腕が載置されるべき載置面１１ｍを有し、かつ第２載置台５０が配置されるべき配置面１１ｎを有する。載置面１１ｍの横隣において各位置規制部１２、１３が上方へ凸状に突出しており、これにより、載置面１１ｍ上に載置されたヒトの前腕の横方向への移動が規制される。かかる構成により、顧客から施術者に向かって顧客の指と前腕が一直線上にアライメントされることが確保又は促進される。位置規制部１２、１３の各前側面上に設けられた各台座部１５、１６が前方へ凸状に突出しており、これにより、台座部１５の台座面１５ｍと台座部１６の台座面１６ｍ上に図３で図示するようにＵＶライト装置（光源装置）６０を載置することができ、共通の施術台１００を利用してジェルネイルの塗布と硬化を好適に実行することができる。
【００２５】
施術台１００の第１載置台１０においては、中央部１１の両隣に位置規制部１２、１３が凸状に設けられて施術台１００の上面側に凹部２０が設けられ、凹部２０の底面が上述の載置面１１ｍに一致する。各位置規制部１２、１３の前側面上に台座部１５、１６が凸状に設けられて施術台１００の前側面側に凹部３０が設けられ、凹部３０の底面が上述の配置面１１ｎに一致する。
【００２６】
第２載置台５０は、第１載置台１０に対して端的にはその配置面１１ｎに対して着脱可能であり、本例においては、その配置面１１ｎ上の任意の位置において位置固定可能である。第２載置台５０は、第１載置台１０の配置面１１ｎに対して面接触する底面を一端に有し、その一端から他端側へ先細りに構成されており、端的には銃の弾丸の形を有する。かかる形状の第２載置台５０においては、ヒトの手が載置される載置面５０ｍが先端側に縮径する滑らかな周面として構成され、ヒトの手の平が載置面５０ｍ上に好適に載置可能であり、ヒトが第２載置台５０を横周囲から好適に把持する態様を達成することができる。
【００２７】
載置面１１ｍに対して配置面１１ｎが所定角度、本例では９０°にて連結し、配置面１１ｎの情報には障害物が存在せず、配置面１１ｎ上に配置された第２載置台５０を上方へ自由に移動することができる。配置面１１ｎ上に配置された第２載置台５０の横方向の移動は、台座部１５、１６により規制される。台座部１５、１６の間隔は実用的な観点から適当に設定される。
【００２８】
図２（ａ）にジェルネイルをオフする際の使用状態図を示し、図２（ｂ）にジェルネイルをオンする際の使用状態図を示す。必ずしもこの限りではないが、図２（ａ）に示すように顧客の指に取付済みのネイルの除去時、第１載置台１０から第２載置台５０を脱着しておくことが望ましい。これにより、顧客の手の姿勢変化や移動の自由度を確保することができ、オフ施術の容易性や迅速性を確保することが見込まれる。
【００２９】
他方、顧客の指に新しいネイルを取り付ける施術時、図２（ｂ）に示すように、第１載置台１０に対して第２載置台５０を取り付けておくことが望ましい。これにより、顧客の手の挙動をネイリスト側で管理することが促進され、冒頭で述べた問題が生じることを抑制可能になる。つまり、ネイリストによる施術に不慣れな顧客が手の姿勢変更や手の移動をすると、塗布済みの未硬化のジェルネイルが垂れ落ち、又はそのジェルネイルが傷つき、或いはそのジェルネイルに埃が付着してしまうことや、ネイリストによる施術中に顧客がうたた寝した場合、ネイリストによる施術を進めることが容易ではなくなり、制限時間内に施術を履行完了することが難しくなることを回避又は抑制可能になる。
【００３０】
図２（ｂ）に示すとき、例えば、顧客の親指に対してジェルネイルを塗布する際、第１載置台１０の配置面１１ｎ上において第２載置台５０を回転させることにより、顧客の親指を上側、原理的には鉛直方向上に位置付けることができ、ジェルネイルの垂れを抑制することができる。親指から他の指へジェルネイルの塗布対象を変更することも第２載置台５０の回転により簡易に確保可能である。
【００３１】
更に、本例においては、同じ施術台１００を用いてジェルネイルの塗布と硬化を行うことができるため、ジェルネイルの垂れ落ちを極力抑制することができる。なお、ジェルネイルが爪上から皮膚上へはみ出すと、そこからネイルの剥がれが生じてしまうため、ジェルネイルの皮膚上へのはみ出しを極力抑制することがネイルの強固な取付けを確保する観点から望ましい。なお、ジェルネイルの爪上から皮膚上への多少のはみ出し自体は許容されるものであり、この場合、ジェルネイルの成形等の通常の方法によりネイリストが処置するだろう。
【００３２】
図４乃至図６を参照して更に説明する。本例においては、第２載置台５０が第１載置台１０に対して取り付けられた状態で第１載置台１０に対して変位可能及び回転可能であり、第１載置台１０に対する第２載置台５０の取付けが、第１載置台１０と第２載置台５０間の磁気的吸引に基づいて確保される。第１載置台１０の配置面１１ｎに対応するように第１載置台１０の内部に鉄板（磁性体）４１を設け、第２載置台５０の内部に永久磁石４２を設ける。永久磁石と鉄板が近接すると両者間にはより強い電磁的吸引力が生じ、この電磁的吸引力により第１載置台１０の配置面１１ｎ上への第２載置台５０の位置固定が達成される。第１載置台１０に対する第２載置台５０の吸着をより十分なものとするべく、第２載置台５０を第１載置台１０よりも軽くすることが望ましい。
【００３３】
図４に示す状態においては第１載置台１０の配置面１１ｎ上に第２載置台５０が適当に位置固定されているため、安定した状態で顧客の指に対して施術することができ、また、ネイリストが第１載置台１０の配置面１１ｎ上の第２載置台５０を施術中に上下左右に変位又はその場で回転させることができ、顧客の手の姿勢をネイリストが管理することが可能となる。
【００３４】
鉄板４１は、好ましくは、配置面１１ｎの全面に対応する範囲で設けられることが望ましいが、必ずしもこの限りではない。鉄板４１をより広い面積を有するものとすることにより、第２載置台５０の位置固定範囲を広く設定することができ、顧客の手の移動範囲をより広く確保することができる。鉄板４１は、一枚の平板である必要はなく、２以上の部分に分割されていても構わない。鉄以外の磁性体を用いても良く、典型的には、コバルト板やニッケル板を活用しても良い。鉄板４１は、必ずしも第１載置台１０の内部に設ける必要はなく、その表面をなすべく設けても構わない。第１載置台１０の外面にゴムバンド等により鉄板４１を固定しても構わない。
【００３５】
永久磁石４２は、一般的な市場において入射可能なものを用いれば良いが、例えば、ネオジム磁石、フェライト磁石、アルニコ磁石、及びサマリウムコバルト磁石を用いても良い。ネオジム磁石を用いれば比較的極力な磁力を得ることができるだろう。例えば、図６に示す永久磁石４２を用いても良い。この永久磁石４２は、円形のヨーク４２ｐ内に円形のネオジム磁石４２ｑが配置固定されたものである。
【００３６】
図７及び図８を参照して施術台１００を用いたネイリストによる施術について説明する。まず、図７に示すように、顧客の前腕が第１載置台１０の載置面１１ｍ上に載置され（Ｓ１）、これにより、図２（ａ）に示すように第１載置台１０上に前腕が載置された状態になる。なお、初期状態においては、第１載置台１０から第２載置台５０が脱着した状態にあるものとする。
【００３７】
次に、ネイリストが顧客の指の爪に対して事前処置を施す（Ｓ２）。顧客の指に古いネイルが取り付けられていれば、これを取り除き、また、新しいネイルを取り付けるための施術を施す。例えば、古いネイルを除去するために古いネイルに対して有機溶剤を塗布し、これを軟化させて除去する。また、新しいネイルを取り付けるために爪の表面を粗く削り、また、微小な突起を取り除いたりする。ステップＳ２においては爪の粉塵が発生するため、このステップの最後において施術台１００の表面をタオル等で清掃することが望ましい。清掃時に顧客の手を施術台１００から上げてもらうことは特に問題ではない。なお、ステップＳ２においてネイリストが行う施術の具体的な内容は任意である。
【００３８】
次に、第１載置台１０に対して第２載置台５０を取付け（Ｓ３）、第２載置台５０上へヒトの手を載置してもらう（Ｓ４）。これにより図２（ｂ）に示すように第１載置台１０上に前腕２００が載置され、かつ第２載置台５０上に手２１０が載置された状態になる。
【００３９】
次に、図８に示すように、ネイリストが新しいネイルを取付けるための施術を次のように実行する。まず顧客の手の指を適切な位置に配置するために、第１載置台１０に対して第２載置台５０を変位させ（Ｓ５）、その後、ジェルネイルの塗布等を施術し（Ｓ６）、続いて望ましくは同一の施術台１００上において硬化処理（Ｓ７）をする。ステップＳ５〜Ｓ７を所定回数繰り返し、これにより、新しいネイルの取付が終了する。繰り返しサイクルにおいては、ステップＳ５を省略しても良い。ステップＳ６やステップＳ７においても、ステップＳ５の第２載置部の変位を適宜実行しても良い。
【００４０】
例えば、ステップＳ５においては、図４に示す状態において図５に模式的に示すように第２載置台５０を時計周り又は反時計周りに回転させる。このような第２載置台５０の回転運動は、必ずしもこの限りではないが、第１載置台１０の配置面１１ｎ上に第２載置台５０が面着した状態においても実行することができる。従って、顧客の手を不必要に前後移動する必要がなく、顧客の手の姿勢の変更をスムーズに行うことができる。
【００４１】
初回サイクルのステップＳ６においては、ジェルネイルのベース層を塗布し、これに続くステップＳ７においてジェルネイルのベース層を硬化させる。次サイクルのステップＳ６においては、例えば、ジェルネイルのカラー層を塗布し、これに続くステップＳ７においてジェルネイルのカラー層を硬化させる。最終サイクルのステップＳ６においては、例えば、ジェルネイルのトップ層を塗布し、これに続くステップＳ７においてジェルネイルのトップ層を硬化させる。カラー層を塗布するステップＳ６においてストーン、シール等の装飾部品をカラー層上に配置若しくは埋め込んでも構わない。ステップＳ６においてネイリストが行う施術の具体的な内容は任意である。
【００４２】
ステップＳ６において用いられるジェルネイルの具体的な材料は任意であるが、いずれも光硬化性樹脂であり、端的には、紫外線（エネルギー線）硬化樹脂である。ベース層とトップ層には無着色のクリアなジェルネイルが用いられることが多い。ステップＳ７の硬化処理においては、図３に模式的に示したように施術台１００の台座部１５、１６の各台座面１５ｍ、１６ｍ上にＵＶライト装置６０を傾けて配置し、顧客の手の上にＵＶライト装置６０の凹状の照射部を配置して作動させる。ＵＶライト装置６０を施術台１００上に配置する前に、第２載置台５０を下方へ変位させて顧客に手に対してＵＶライト装置６０が接触しないようにすることが好ましい。
【００４３】
ＵＶライト装置６０の具体的な構成は任意であるが、その筐体内には紫外線の光源６１が収容される。紫外線の光源６１は、ＬＥＤであってもランプであっても構わない。ＵＶライト装置６０からの出射光が顧客の視野に入らないように適当な遮蔽板を第１載置台１０上に設けることが望ましい。
【００４４】
図９及び図１０を参照して更に説明する。図９（ａ）に第１載置台１０を前側から見た側面図を示し、図９（ｂ）に第１載置台１０を上側から見た側面図を示し、図９（ｃ）に第１載置台１０を後側から見た側面図を示し、図９（ｄ）に第１載置台１０を左又は右側から見た側面図を示す。図１０（ａ）に第１載置台１０に第２載置台５０が取り付けられた状態の施術台１００を前側から見た側面図を示し、図１０（ｂ）にその施術台１００を上側から見た側面図を示し、図９（ｃ）にその施術台１００を後側から見た側面図を示し、図９（ｄ）にその施術台１００を左又は右側から見た側面図を示す。
【００４５】
図９及び図１０においては、第１載置台１０が角張ったように構成されているが、ヒトの前腕が載置される点に鑑みて適当に丸み付けることが望ましい。第１載置台１０や第２載置台５０は冒頭で述べたようにクッション性を具備するように構成することが望ましい。場合によっては、シリコーン樹脂にて表面／表面直下の層を構成しても良い。
【００４６】
上述の説明から明らかなように、本実施形態においては、ヒトの手の爪の施術台１００が、ヒトの前腕が少なくとも部分的に載置されるべき第１載置台１０と、ヒトの手が載置されるべき第２載置台５０と、を備え、第２載置台５０は、第１載置台１０に対して着脱可能であり、かつ当該第２載置台５０が第１載置台１０に対して取り付けられた状態で第１載置台１０に対して変位可能である。これにより、ネイリスト主導の施術を促進可能となる。第１載置台１０に対する第２載置台５０の取付けが、第１及び第２載置台間の磁気的吸引に基づいて確保されるため、第１載置台１０上での第２載置台５０の回転や変位が簡便かつ好適に確保される。
【００４７】
第１載置台１０と第２載置台５０間の磁気的吸引力は、第１載置台１０に対する第２載置台５０の十分な位置固定と、第１載置台１０上での第２載置台５０の回転や変位との両立を確保するべく適当に調整されるだろう。例えば、第２載置台５０内に設ける永久磁石の種類や個数にて磁気的吸引力を簡易に調整可能である。第１載置台１０と第２載置台５０間の磁気的吸引力は、典型的には、永久磁石と鉄板により実現されるが、必ずしもこの限りではなく、Ｎ極とＳ極の異極間の磁石の吸引を活用しても構わず、また電磁コイルを活用しても構わない。磁気回路を適当に構築することにより、上述の磁気的吸引力を調整しても良い。
【００４８】
＜第２実施形態＞
図１１及び図１２を参照して第２実施形態について説明する。図１１は、施術台の第１載置台の前側の側面図であり、シート状の永久磁石がその前側面に貼り付けられた状態を模式的に示す。図１２は、施術台の第２載置台の側面図及び下面図であり、第２載置台の下面上に鉄板が貼り付けられた状態を模式的に示す。本実施形態においては、第１載置台１０に永久磁石４２が設けられ、第２載置台５０に鉄板４１が設けられる。このような場合であっても第１実施形態と同様の効果を得ることができる。
【００４９】
図１１に示すように施術台１００の中央部１１の前側面には磁石シートから成る永久磁石４２が接着等により固定され、磁石シートの露出面自体により配置面１１ｎが構成される。図１２に示すように、第２載置台５０の下面には円形状の鉄板４１がネジ等の任意の方法で固定されている。台座部１５と台座部１６間に亘ってシート状の永久磁石４２を設けることにより第２載置台５０のより広い移動範囲を確保することができる。
【００５０】
＜第３実施形態＞
図１３を参照して第３実施形態について説明する。図１３は、施術台の側面模式図であり、複数の永久磁石が第１載置台に設けられることを模式的に示す。本実施形態においては、第１載置台１０の配置面１１ｎを複数の領域に分割し、この分割領域に対応づけて永久磁石を配置する。このように複数の永久磁石を面的に配置することで第２載置台５０がとり得る位置をより適切なものとすることができる。配置面１１ｎの分割数は任意であり、例えば、２×２の合計４つの分割領域、３×４の合計１２の分割領域といった態様であり、必ずしも全ての領域に永久磁石を配置する必要はない。複数個の永久磁石を共通平面に配置することは必須ではない。
【００５１】
図１３においては例示的に上下方向に永久磁石４２が、上部永久磁石４２ａ、中間部永久磁石４２ｂ、及び下部永久磁石４２ｃと３列に配置されている。左右方向においても同様に３列で構成されている。配置面１１ｎ上において第２載置台５０がとり得る位置を適当に広く確保することができ、第２載置台５０のとり得る位置をネイリストの施術に適したものとすることができる。分割配置の態様を永久磁石に代えて又は永久磁石に加えて磁性体に適用しても良い。
【００５２】
＜第４実施形態＞
図１４を参照して第４実施形態について説明する。図１４は、施術台の側面模式図であり、第１載置台に対して第２載置台がリンク機構を介して連結可能であることを模式的に示す。本実施形態においては、第２載置台５０が第１載置台１０に対してリンク機構を介して連結している。このような場合であっても上述の実施形態と同様の効果を得ることができる。但し、本構成の場合、電磁的吸引を活用した場合ほど第２載置台５０のスムーズな変位を確保できないかもしれない。
【００５３】
図１４に示すように、上述のリンク機構は、固定端４５、リンク４６、及び可動端４７を有する。固定端４５は、第１載置台１０に対して固定された端部である。リンク４６は、固定端４５と可動端４７を連結する棒状部分である。可動端４７は、第１載置台１０側に対する第２載置台５０の取付けを確保するための端部である。固定端４５とリンク４６の接続には、ボールとボール受けの可動連結構造を活用することが例示でき、この場合、固定端４５に対するリンク４６の上下左右の自由な移動が確保される。リンク４６と可動端４７間の接続にも、ボールとボール受けの可動連結構造を活用することができ、この場合、リンク４６に対する可動端４７の上下左右の自由な移動が確保される。
【００５４】
第１載置台１０に対する第２載置台５０の着脱性は簡便に確保することができる。例えば、可動端４７が第２載置台５０側に固定されていれば、可動端４７とリンク４６の連結を解除可能とすれば良い。可動端４７とリンク４６の連結が解除不能とする場合には、任意の方法で第２載置台５０と可動端４７間を着脱可能とし、これにより、簡便に第１載置台１０に対する第２載置台５０の着脱性が確保される。
【００５５】
＜第５実施形態＞
図１５を参照して第５実施形態について説明する。図１５は、施術台の使用状態を示す使用状態図である。本実施形態においては、第１載置台１０をヒトの足の指の爪に対する施術にも用いる。第１載置台１０の台座部１５、１６がＵＶライト装置６０の台座として好適に機能する。
【００５６】
＜第６実施形態＞
図１６及び図１７を参照して第６実施形態について説明する。図１６は、施術台の概略的な斜視図である。図１７は、第１載置台の概略的な前側側面図及び上面図である。本実施形態においては、施術台１００が、両手若しくは両足に対応する。このような場合であっても上述の実施形態と同様の効果を得ることができる。
【００５７】
図１６に示す載置面１１ｍが左腕の前腕に対応し、載置面１１ｍ’が右腕の前腕に対応する。第２載置台５０が左手に対応し、第２載置台５０’が右手に対応する。図１７（ａ）に示すように、載置面１１と載置面１１’が、通常状態において鉛直方向に直交する同一平面に配置されている。図１７（ｂ）に示すように、左腕と右腕に関して載置台１０が対称に構成される。本実施形態に係る第２載置台５０、５０’の構成は上述の実施形態のものと同一である。
【００５８】
上述の開示に照らせば、施術台１００を使用したネイリストによる施術方法も本願に十分に開示されているものと言える。その方法は、例えば、次のように特定することができる。
【００５９】
＜付記１＞
ヒトの手の爪に対してネイル取付けの施術を施す方法であって、ヒトの前腕が少なくとも部分的に載置されるべき第１載置台に対して前記ヒトの手が載置されるべき第２載置台を取付けるステップと、前記第１載置台上に前記ヒトの前記前腕が少なくとも部分的に載置され、かつ前記第２載置台上に前記ヒトの前記手が載置された状態で、前記ヒトの前記手の爪に対して光硬化性樹脂を塗布するステップと、を含む、方法。
【００６０】
＜付記２＞
前記第２載置台が前記第１載置台に対して取り付けられた状態で前記第１載置台に対して前記第２載置台を変位させるステップを更に含む、付記１に記載のヒトの手の爪に対してネイルを付ける方法。
【００６１】
＜付記３＞
前記第２載置台が前記第１載置台に対して取り付けられた状態で前記第１載置台に対して前記第２載置台を変位させるステップが、前記第１載置台に対して前記第２載置台を回転させるステップを含む、付記２に記載のヒトの手の爪に対してネイルを付ける方法。
【００６２】
＜付記４＞
前記第１載置台上に前記ヒトの前記前腕が少なくとも部分的に載置され、かつ前記第２載置台上に前記ヒトの前記手が載置された状態で、前記光硬化性樹脂に対してエネルギー線を照射して硬化させるステップを更に含む、付記１乃至３のいずれか一項に記載のヒトの手の爪に対してネイルを付ける方法。
【００６３】
＜付記５＞
前記第１載置台に対する前記第２載置台の取付が、前記第１及び第２載置台間の磁気的吸引に基づいて確保される、付記１乃至４のいずれか一項に記載のヒトの手の爪に対してネイルを付ける方法。
【００６４】
上述の教示を踏まえると、当業者をすれば、各実施形態に対して様々な変更を加えることができる。第１及び第２載置台の具体的な形状、サイズ、及び素材は任意である。第１及び第２載置台間を着脱可能とする具体的な構成は任意である。第１及び第２載置台は、載置台としての機能に加えて他の機能を具備しても構わない。第１及び第２載置台が、他の機能部品の一部を構成するものであっても構わない。第１及び第２載置台に設けられる載置面の面形状は任意であり、平坦面、曲面、粗面等が例示できる。第１載置台に設けられる配置面は好ましくは平坦面であるが、必ずしもこの限りではない。
【符号の説明】
【００６５】
１００    ：施術台
１０      ：第１載置台
１１      ：中央部
１１ｍ    ：載置面
１１ｎ    ：配置面
１２      ：位置規制部
１５      ：台座部
１５ｍ    ：台座面
１６      ：台座部
１６ｍ    ：台座面
５０      ：第２載置台
５０ｍ    ：載置面
４１      ：鉄板
４２      ：永久磁石
４２ｐ    ：ヨーク
４２ｑ    ：ネオジム磁石
６０      ：ＵＶライト装置
６１      ：光源
【図１】
0003180758.tif 000003
【図２】
0003180758.tif 000004
【図３】
0003180758.tif 000005
【図４】
0003180758.tif 000006
【図５】
0003180758.tif 000007
【図６】
0003180758.tif 000008
【図７】
0003180758.tif 000009
【図８】
0003180758.tif 000010
【図９】
0003180758.tif 000011
【図１０】
0003180758.tif 000012
【図１２】
0003180758.tif 000013
【図１３】
0003180758.tif 000014
【図１４】
0003180758.tif 000015
【図１５】
0003180758.tif 000016
【図１６】
0003180758.tif 000017
【図１７】
0003180758.tif 000018
【図１１】
0003180758.tif 000019